(57)【特許請求の範囲】
【請求項１】
色材を含む第１の液滴を吐出する第１の液滴イジェクタが記録媒体の幅方向に複数配列された第１のヘッドと、前記第１の液滴の成分を増粘、凝集、または不溶化させる第２の液滴を吐出する第２の液滴イジェクタが前記記録媒体の幅方向に複数配列された第２のヘッドと、を備えた液滴吐出装置を制御する制御装置であって、
前記第１のヘッド及び前記第２のヘッドを固定した状態で前記記録媒体を前記幅方向と交差する方向に移動させることにより、前記第１のヘッド及び前記第２のヘッドを前記記録媒体の同一領域に対して相対的に複数回走査する走査制御手段と、
前記複数回の走査のうち、１回目の走査における前記第１の液滴の滴量が２回目以降の走査における前記第１の液滴の滴量よりも少なくなるように前記第１のヘッドの吐出を制御すると共に、前記１回目の走査では前記第２の液滴が吐出されず、前記２回目の走査では前記第２の液滴が吐出されるように前記第２のヘッドを制御する吐出制御手段と、
を含む制御装置。
【請求項２】
前記第１の液滴及び第２の液滴の表面張力は、２５〜３５ｍＮ/ｍである請求項２記載の制御装置。
【請求項３】
前記吐出制御手段による制御は、前記第１のヘッドに複数配列された前記第１の液滴イジェクタのうち、吐出不良の第１の液滴イジェクタを含む所定範囲内に配列された第１の液滴イジェクタで画像が形成される領域に対して行なわれる請求項１又は請求項２のいずれか１項記載の制御装置。
【請求項４】
前記吐出制御手段による制御は、前記記録媒体内の所定サイズ以上のベタ画像またはハーフトーン画像が形成される領域に対して行なわれる請求項１乃至請求項３のいずれか１項記載の制御装置。
【請求項５】
色材を含む第１の液滴を吐出する第１の液滴イジェクタが複数配列された第１のヘッドと、
前記第１の液滴の成分を増粘、凝集、または不溶化させる第２の液滴を吐出する第２の液滴イジェクタが複数配列された第２のヘッドと、
請求項１乃至請求項４のいずれか１項記載の制御装置と、
を含む液滴吐出装置。
【請求項６】
色材を含む第１の液滴を吐出する第１の液滴イジェクタが記録媒体の幅方向に複数配列された第１のヘッドと、前記第１の液滴の成分を増粘、凝集、または不溶化させる第２の液滴を吐出する第２の液滴イジェクタが前記記録媒体の幅方向に複数配列された第２のヘッドと、を備えた液滴吐出装置に液滴を吐出させる液滴吐出方法であって、
前記第１のヘッド及び前記第２のヘッドを固定した状態で前記記録媒体を前記幅方向と交差する方向に移動させることにより、前記第１のヘッド及び前記第２のヘッドを前記記録媒体の同一領域に対して相対的に複数回走査する走査制御工程と、
前記複数回の走査のうち、１回目の走査における前記第１の液滴の滴量が２回目以降の走査における前記第１の液滴の滴量よりも少なくなるように前記第１のヘッドの吐出を制御すると共に、前記１回目の走査では前記第２の液滴が吐出されず、前記２回目の走査では前記第２の液滴が吐出されるように前記第２のヘッドを制御する吐出制御工程と、
を含む液滴吐出方法。
【請求項７】
色材を含む第１の液滴を吐出する第１の液滴イジェクタが記録媒体の幅方向に複数配列された第１のヘッドと、前記第１の液滴の成分を増粘、凝集、または不溶化させる第２の液滴を吐出する第２の液滴イジェクタが前記記録媒体の幅方向に複数配列された第２のヘッドと、を備えた液滴吐出装置を制御する制御処理をコンピュータに実行させるプログラムであって、
前記制御処理は、
前記第１のヘッド及び前記第２のヘッドを固定した状態で前記記録媒体を前記幅方向と交差する方向に移動させることにより、前記第１のヘッド及び前記第２のヘッドを前記記録媒体の同一領域に対して相対的に複数回走査する走査制御工程と、
前記複数回の走査のうち、１回目の走査における前記第１の液滴の滴量が２回目以降の走査における前記第１の液滴の滴量よりも少なくなるように前記第１のヘッドの吐出を制御すると共に、前記１回目の走査では前記第２の液滴が吐出されず、前記２回目の走査では前記第２の液滴が吐出されるように前記第２のヘッドを制御する吐出制御工程と、
を含むプログラム。
【発明の詳細な説明】
【技術分野】
【０００１】
本発明は、液滴を吐出する液滴イジェクタを備えたヘッドにより記録媒体に液滴を吐出する液滴吐出装置および液滴吐出方法と、該液滴吐出装置を制御する制御装置およびプログラムに関するものである。
【背景技術】
【０００２】
液滴を吐出する液滴イジェクタが複数配列されたヘッドを備え、液滴イジェクタからインク滴を吐出して画像の記録を行うインクジェット方式のプリンタが広く普及している。また、近年、インクジェット方式のプリンタにおいて、画像濃度の向上、用紙内部へのインクのにじみ（フェザリング）の改善、乾燥時間の短縮等を目的として、各色のインク液に加えて、該インク液の成分を凝集、増粘、或いは不溶化させる反応液（または処理液ともいう）を用紙に塗布する２液反応システムが採用されている。
【０００３】
しかしながら、反応液を吐出することにより、インク液滴の横方向への広がりが小さくなるため、ヘッドの液滴イジェクタの不吐出や方向性曲がりにより、筋状の画質欠陥が目立ちやすくなる。
【０００４】
記録ヘッドを主走査方向に走査させつつ、記録用紙を副走査方向に移動させて印字するＰＷＡ（Ｐａｒｔｉａｌ  Ｗｉｄｔｈ  Ａｒｒａｙ）方式のインクジェットプリンタでは、マルチパス記録方式を採用することができるため、記録ヘッドのノズル毎の吐出特性のばらつきが分散され、画質の低下を防止することができる。マルチパス記録方式とは、記録ヘッドのノズルの配列方向に記録媒体を微小移動させ該ノズルの配列方向と交差する方向に該記録ヘッドを複数回走査（マルチパス）することにより、異なるノズル群で記録媒体の同一領域に間引かれた画像を補完的に記録して画像を完成させる方式のことである。
【０００５】
ところが、記録用紙の幅にほぼ等しい幅を有する長尺状の記録ヘッドを持ち、記録ヘッドは固定して記録媒体のみを搬送しながら記録を行う、いわゆるＦＷＡ（Ｆｕｌｌ  Ｗｉｄｔｈ  Ａｒｒａｙ）方式のインクジェットプリンタでは、基本的にヘッドを固定して記憶用紙を搬送するため、こうしたマルチパス印字を行うことができず、液滴イジェクタの欠陥は特に大きな問題となる。
【０００６】
そこで、不吐出イジェクタ近傍には処理液を吐出させないで、不吐出イジェクタ近傍に吐出されたインクをにじませ、白筋を見えにくくするインクジェットプリント装置が提案されている（例えば、特許文献１参照。）。
【０００７】
また、不吐出イジェクタおよび不吐出イジェクタ近傍に処理液を吐出させ、処理液を呼び水式に太らせて、白筋を見えにくくするインクジェットプリント装置も提案されている（例えば、特許文献２参照。）。
【０００８】
また、着弾位置がずれるインクドットに対し、ずれ方向と逆側に処理液を着弾させ、インクを理想位置の方向に浸透させるインクジェット記録装置も提案されている（例えば、特許文献３参照。）。
【特許文献１】特開２００２−０６７２９６号公報
【特許文献２】特開２００２−０６７２９７号公報
【特許文献３】特開２００４−１２２５３４号公報
【発明の開示】
【発明が解決しようとする課題】
【０００９】
しかしながら、上述した特許文献１に記載の装置では、不吐出イジェクタ近傍での白筋はなくなるが、反応液を吐出した部分と吐出しない部分とで濃度差、色調差が大きくなるため、スジが目立ち良好な画質は得られない。また、特許文献２に記載の装置では、呼び水式に太らせた部分とそれ以外の部分で、やはり濃度差、色調差が大きくなるため、スジが目立ち良好な画質は得られない。さらにまた、特許文献３に記載の装置では、液滴が全く吐出されない或いは滴量が少ない不吐出イジェクタには対応できない。
【００１０】
本発明は、上記問題を解決すべく成されたもので、液滴イジェクタの不吐出や吐出方向曲がり等に起因するスジの発生を防止すると共に画質を向上させることができる制御装置、液滴吐出装置、液滴吐出方法、およびプログラムを提供することを目的とする。
【課題を解決するための手段】
【００１１】
上記目的を達成するために、本発明の制御装置は、色材を含む第１の液滴を吐出する第１の液滴イジェクタが記録媒体の幅方向に複数配列された第１のヘッドと、前記第１の液滴の成分を増粘、凝集、または不溶化させる第２の液滴を吐出する第２の液滴イジェクタが前記記録媒体の幅方向に複数配列された第２のヘッドと、を備えた液滴吐出装置を制御する制御装置であって、前記第１のヘッド及び第２のヘッドを固定した状態で前記記録媒体を前記幅方向と交差する方向に移動させることにより、前記第１のヘッド及び前記第２のヘッドを前記記録媒体の同一領域に対して相対的に複数回走査する走査制御手段と、
前記複数回の走査のうち、１回目の走査における前記第１の液滴の滴量が２回目以降の走査における前記第１の液滴の滴量よりも少なくなるように前記第１のヘッドの吐出を制御すると共に、前記１回目の走査では前記第２の液滴が吐出されず、前記２回目の走査では前記第２の液滴が吐出されるように前記第２のヘッドを制御する吐出制御手段と、を含んで構成されている。
【００１２】
この制御装置では、走査制御手段は、第１のヘッド及び第２のヘッドを固定した状態で前記記録媒体を前記幅方向と交差する方向に移動させることにより、第１のヘッド及び第２のヘッドを前記記録媒体の同一領域に対して相対的に複数回走査するように制御する。
【００１４】
吐出制御手段は、前記複数回の走査のうち、１回目の走査における前記第１の液滴の滴量が２回目以降の走査における前記第１の液滴の滴量よりも少なくなるように前記第１のヘッドの吐出を制御すると共に、前記１回目の走査では前記第２の液滴が吐出されず、前記２回目の走査では前記第２の液滴が吐出されるように前記第２のヘッドを制御する。
【００１５】
すなわち、１回目の走査では、第１の液滴の成分を増粘、凝集、または不溶化させる第２の液滴を記録媒体に付与しないため、記録媒体に付与された第１の液滴が記録媒体上で広がり、第１の液滴イジェクタに吐出不良のイジェクタが含まれていた場合であっても、スジが目立ちにくくなる。
【００１６】
また、２回目以降の走査では、第２の液滴を記録媒体に付与するため、濃度を向上させ、フェザリングを押えることができる。さらに、吐出不良の部分とそれ以外の部分とで濃度差や色調差が目立ちにくくなる。
【００２２】
ここで、滴量とは１滴当たりの量をいう。このように、１回目の走査における第１の液滴の滴量を２回目以降の走査における適量よりも少なくすることにより、画質は向上する。
【００２５】
また、前記第１の液滴及び第２の液滴の表面張力は、２５〜３５ｍＮ/ｍとすることができる。
【００２６】
表面張力はある程度小さいほうが、１回目の走査で記録媒体に付与された第１の液滴が広がりやすくなる。
【００２７】
また、前記吐出制御手段による制御は、前記第１のヘッドに複数配列された前記第１の液滴イジェクタのうち、吐出不良の第１の液滴イジェクタを含む所定範囲内に配列された第１の液滴イジェクタで画像が形成される領域に対して行なわれるようにすることもできる。
【００２８】
ここで、吐出不良の液滴イジェクタとは、液滴イジェクタから全く液滴が吐出されない或いは吐出量が極端に少ない液滴イジェクタや吐出方向が曲がっている液滴イジェクタ等をいう。吐出不良の部分はスジが発生しやすいため、吐出不良の部分のみ１回目の走査と２回目以降の走査とで第１の液滴及び第２の液滴の吐出を上記のように制御すれば、液滴イジェクタの不吐出や方向性曲がり等に起因するスジの発生を防止すると共に画質を向上させることができる。
【００２９】
また、前記吐出制御手段による制御は、前記記録媒体内の所定サイズ以上のベタ画像またはハーフトーン画像が形成される領域に対して行なわれるようにすることができる。
【００３０】
ベタ画像またはハーフトーン画像、特にある程度大きな面積を有するベタ画像またはハーフトーン画像に発生したスジは目立ちやすい。従って、所定サイズ以上のベタ画像またはハーフトーン画像を記録する場合に、１回目の走査と２回目以降の走査とで第１の液滴及び第２の液滴の吐出を上記のように制御すれば、液滴イジェクタの不吐出や方向性曲がり等に起因するスジの発生を防止すると共に画質を向上させることができる。
【００３１】
本発明の液滴吐出装置は、色材を含む第１の液滴を吐出する第１の液滴イジェクタが複数配列された第１のヘッドと、前記第１の液滴の成分を増粘、凝集、または不溶化させる第２の液滴を吐出する第２の液滴イジェクタが複数配列された第２のヘッドと、上記制御装置と、を含んで構成されている。
【００３２】
本発明の液滴吐出装置も、本発明の制御装置を含んで構成されているため、液滴イジェクタの不吐出や吐出方向曲がり等に起因するスジの発生を防止すると共に画質を向上させることができる。
【００３３】
本発明の液滴吐出方法は、色材を含む第１の液滴を吐出する第１の液滴イジェクタが記録媒体の幅方向に複数配列された第１のヘッドと、前記第１の液滴の成分を増粘、凝集、または不溶化させる第２の液滴を吐出する第２の液滴イジェクタが前記記録媒体の幅方向に複数配列された第２のヘッドと、を備えた液滴吐出装置に液滴を吐出させる液滴吐出方法であって、前記第１のヘッド及び前記第２のヘッドを固定した状態で前記記録媒体を前記幅方向と交差する方向に移動させることにより、前記第１のヘッド及び前記第２のヘッドを前記記録媒体の同一領域に対して相対的に複数回走査する走査制御工程と、前記複数回の走査のうち、１回目の走査における前記第１の液滴の滴量が２回目以降の走査における前記第１の液滴の滴量よりも少なくなるように前記第１のヘッドの吐出を制御すると共に、前記１回目の走査では前記第２の液滴が吐出されず、前記２回目の走査では前記第２の液滴が吐出されるように前記第２のヘッドを制御する吐出制御工程と、を含んで構成されている。
【００３４】
本発明の液滴吐出方法も、本発明の制御装置、液滴吐出装置と同様に作用するため、液滴イジェクタの不吐出や吐出方向曲がり等に起因するスジの発生を防止すると共に画質を向上させることができる。
【００３５】
また、本発明のプログラムは、色材を含む第１の液滴を吐出する第１の液滴イジェクタが記録媒体の幅方向に複数配列された第１のヘッドと、前記第１の液滴の成分を増粘、凝集、または不溶化させる第２の液滴を吐出する第２の液滴イジェクタが前記記録媒体の幅方向に複数配列された第２のヘッドと、を備えた液滴吐出装置を制御する制御処理をコンピュータに実行させるプログラムであって、前記制御処理は、前記第１のヘッド及び前記第２のヘッドを固定した状態で前記記録媒体を前記幅方向と交差する方向に移動させることにより、前記第１のヘッド及び前記第２のヘッドを前記記録媒体の同一領域に対して相対的に複数回走査する走査制御工程と、前記複数回の走査のうち、１回目の走査における前記第１の液滴の滴量が２回目以降の走査における前記第１の液滴の滴量よりも少なくなるように前記第１のヘッドの吐出を制御すると共に、前記１回目の走査では前記第２の液滴が吐出されず、前記２回目の走査では前記第２の液滴が吐出されるように前記第２のヘッドを制御する吐出制御工程と、を含んで構成されている。
【００３６】
本発明のプログラムも、本発明の制御装置と同様に作用するため、液滴イジェクタの不吐出や吐出方向曲がり等に起因するスジの発生を防止すると共に画質を向上させることができる。
【発明の効果】
【００３７】
以上説明した如く本発明によれば、液滴イジェクタの不吐出や吐出方向曲がり等に起因するスジの発生を防止すると共に画質を向上させることができる、という優れた効果を奏する。
【発明を実施するための最良の形態】
【００３８】
以下、図面を参照して、本発明の実施の形態について詳細に説明する。
【００３９】
［第１の実施の形態］
図１は、本実施の形態に係る液滴吐出装置１０の概略構成を示したブロック図である。この液滴吐出装置１０は、ＣＰＵ１２、ＲＯＭ１４、ＲＡＭ１６を備え、それらはバス３０で接続されている。ＣＰＵ１２は、液滴吐出装置１０の各構成部の動作を制御する。ＲＯＭ１４には様々な処理ルーチンのプログラムが格納されており、ＣＰＵ１２はこのプログラムを実行することにより各種制御を行う。
【００４０】
さらに、この液滴吐出装置１０は、色材を含むインク滴を吐出する記録ヘッド２０、記録ヘッド２０を駆動する記録ヘッド駆動回路１８、記録ヘッド２０から吐出されたインク滴の成分を凝集、増粘、或いは不溶化させる反応液を吐出する反応液ヘッド２４、反応液ヘッド２４を駆動する反応液ヘッド駆動回路２２、画像形成時に記録用紙を搬送する紙送りモータ２８、及び紙送りモータ２８を駆動するための紙送り駆動回路２６を備えている。
【００４１】
記録ヘッド駆動回路１８は、ＣＰＵ１２から送信されるインク吐出データに応じて記録ヘッド２０を駆動し、反応液ヘッド駆動回路２２は、ＣＰＵ１２から送信される反応液吐出データに応じて反応液ヘッド２４を駆動する。また、紙送り駆動回路２６は、ＣＰＵ１２からの制御信号に応じて紙送りモータ２８を駆動する。
【００４２】
記録ヘッド２０は、記録用紙の幅に対応する長さのヘッドバー（不図示）に、インク滴を吐出する液滴イジェクタ５０（図２（Ｂ）または（Ｄ）参照。）が用紙搬送方向と直交する方向に複数個配列されて構成された、記録用紙の最大幅に対応する記録領域を有するＦＷＡ方式のヘッドである。この液滴吐出装置１０は、記録ヘッド２０を固定したまま、記録用紙のみを搬送して記録を行うことによって、記録用紙の全幅に液滴を吐出することができる。
【００４３】
図２（Ｂ）、（Ｄ）に示すように、液滴イジェクタ５０は、インク滴を吐出するためのノズル５０Ａ、ノズル５０Ａに連通する液滴圧力室５０Ｂ、及び液滴圧力室５０Ｂに接して設けられた圧電素子５０Ｃを含んで構成されている。圧電素子５０Ｃは、周知のように電圧を印加することにより形状が変化する性質を有しており、この形状変化を利用して液滴圧力室５０Ｂ内に圧力をかけ、ノズル５０Ａからインク滴を吐出して、記録用紙上にドットを記録する。
【００４４】
また、この液滴吐出装置１０は、「滴なし/滴あり」の２階調記録のみならず、小滴、大滴のように、インク滴のドットサイズ（滴量：１滴当たりの量）を異ならせて記録する多階調記録が可能な装置として構成されている。具体的には、図２（Ａ）及び図２（Ｃ）に示すように圧電素子５０Ｃに印加する駆動波形を制御することによって、例えば、ノズル５０Ａから大滴のインク滴（図２（Ｂ）参照）、小滴のインク滴（図２（Ｄ）参照）を吐出することができる。なお、ノズル５０Ａからインク滴を吐出しない場合（滴なし）には、ドットが形成されないような波形の電圧を印加することもできる。
【００４５】
反応液ヘッド２４の構成は、記録ヘッド２０と同様であるため、説明を省略する。ただし、反応液ヘッド２４は、記録用紙の搬送方向に対して記録ヘッド２０よりも上流側に配置され、記録用紙には常に反応液、インク滴の順序で液滴が吐出されるような構成となっている。
【００４６】
次に、この液滴吐出装置１０の動作を説明する。
【００４７】
図３は、外部から印刷指令が入力されたときに起動される印刷処理ルーチンのプログラムのフローチャートであって、ＣＰＵ１２により実行される。なお、この液滴吐出装置１０では、印刷モードが高速モードの場合には、記録ヘッド２０で記録用紙を１回走査して画像を記録（１パス記録）し、印刷モードが低速モードの場合には、記録ヘッド２０で記録用紙の同一領域を２回走査して補完的に画像を記録（２パス記録）する。
【００４８】
ステップ１００では、画像データを取得する。
【００４９】
ステップ１０２では、印刷指令で指定された印刷モードが、高速モードであるか、低速モードであるかを判断する。高速モードは、例えば片面印刷モードや標準画質モード等、比較的高速で印刷されるモードをいい、低速モードは、例えば、高画質モードや両面印刷モード等、比較的低速で印刷されるモードをいう。
【００５０】
ステップ１０２で、指定された印刷モードが低速モードであると判断した場合には、２パス記録動作を行なうため、ステップ１０４で、まず、上記取得した画像データに基づいて１回目の走査（１パス目）のインク吐出データを生成する。なお、本実施の形態では、１パス目においてインク滴のみ吐出し反応液は吐出しない（インク滴の記録用紙への単位面積当たりの付与量に対する反応液滴の記録用紙への単位面積当たりの付与量の割合を０とする）ため、インク吐出データのみを生成する。このとき、１パス目のインク吐出データは、１パス目のインク滴の記録用紙への単位面積当たりの付与量が２パス目のインク滴の記録用紙への単位面積当たりの付与量より少なくなるようなドットサイズ（滴量）となるように生成する。すなわち、１パス目のドットサイズは、２パス目のドットサイズよりも小さくする。なお、１パス目のドットサイズと２パス目のドットサイズは、実験等により好適な値となるように予め設定しておく。
【００５１】
ステップ１０６では、上記生成した１パス目のインク吐出データを記録ヘッド駆動回路１８に出力すると共に、紙送り駆動回路２６に用紙搬送のための制御信号を出力して１パス目の記録を行なう。
【００５２】
ステップ１０８では、上記取得した画像データに基づいて２パス目のインク吐出データ及び反応液吐出データを生成する。インク吐出データは、２パス目のインク滴の記録用紙への単位面積当たりの付与量が１パス目のインク滴の記録用紙への単位面積当たりの付与量よりも多くなるようなドットサイズとなるように生成する。また、反応液吐出データは、２パス目のインク滴の記録用紙への単位面積当たりの付与量に対する反応液滴の記録用紙への単位面積当たりの付与量の割合が、０．１以上１以下となるように生成することが好ましい。なお、この割合も、実験等により好適な値を求め予め設定しておく。
【００５３】
ステップ１１２では、上記生成した２パス目のインク吐出データを記録ヘッド駆動回路１８に出力すると共に、上記生成した反応液吐出データを反応液ヘッド駆動回路２２に出力する。更に、紙送り駆動回路２６に制御信号を出力して記録用紙を戻すか、或いは同一経路に沿って再度搬送することにより、記録用紙の１パス目で記録した領域と同一の領域に２パス目のデータが記録されるように記録を行なう。なお、前述したように、反応液ヘッド２４は、記録用紙の搬送方向に対して記録ヘッド２０よりも上流側に配置されているため、記録用紙には常に反応液、インク滴の順序で液滴が吐出される。
【００５４】
一方、ステップ１０２で、指定された印刷モードが高速モードであると判断した場合には、１パス記録動作を行なうため、ステップ１１０で、１回の走査で画像が完全に形成されるようなインク吐出データと、インク滴の付与量に対して予め定められた割合の反応液付与量となるような反応液吐出データを生成する。そして、ステップ１１２で、該生成したインク吐出データ及び反応液吐出データを記録ヘッド駆動回路１８、反応液ヘッド駆動回路２２に出力し、紙送り駆動回路２６を制御して記録用紙を搬送して１回の走査で画像を記録する。
【００５５】
ここで、図４〜図５を参照しながら、具体的な液滴吐出動作を説明する。
【００５６】
図４は、記録ヘッド２０と反応液ヘッド２４の記録用紙に対する配置状態を示した図である。同図に示すように、反応液ヘッド２４は、記録ヘッド２０よりも用紙搬送方向（図では矢印Ａ）の上流側に配置されている。ここでは、一例として、インク滴が吐出されない不良イジェクタ５０ａが１個含まれている記録ヘッド２０を図示した。従来は、ＦＷＡ方式では１パス記録を行なうため、不良イジェクタ５０ａ部分には白スジが生じてしまっていたが、本実施の形態では、上述したように２パス記録を行なうため、白スジの発生を抑えることができる。
【００５７】
まず、１パス目では、図５（Ａ）に示すように、インク滴のみを吐出し、反応液滴は吐出しないように制御する。このとき、不良イジェクタ５０ａからはインク滴が吐出されないが、１パス目では反応液滴を吐出しないため、インク滴の成分は凝集、増粘、或いは不溶化せず、不吐出部分に不良イジェクタ５０ａの隣接イジェクタ５０から吐出されたインク滴が拡がる。このためスジが目立たなくなる。また、１パス目のインク滴の単位面積当たりの付与量は２パス目と比較して少ないため、乾燥も早い。
【００５８】
次に、図５（Ｂ）に示すように、２パス目で反応液滴とインク滴の双方を吐出する。２パス目ではインク滴だけでなく反応液も吐出するため、濃度やフェザリング等の点で画質が向上する。
【００５９】
このように２パス記録を行なうにより、スジを目立たなくすることができると共に、画質を向上させることができる。また、反応液滴を吐出しない１パス目でインク滴の単位面積当たりの付与量、付与割合を多くしすぎると、濃度やフェザリングの点で画質が悪化してしまうが、ここでは、１パス目はインク滴の単位面積当たりの付与量、付与割合を２パス目より少なくし、反応液滴を吐出する２パス目で該付与量、付与割合を多くするようにしたため、画質を向上させることができる。
【００６０】
なお、ここでは、不良イジェクタ５０ａをインク滴が吐出されないイジェクタとして説明したが、インク滴の吐出方向が曲がっているイジェクタ、或いは吐出量が少ないイジェクタであっても、同様の効果がある。
【００６１】
また、画像の記録に用いるインク及び反応液の表面張力は、ある程度小さいことが好ましい（例えば、２５〜３５ｍＮ/ｍ）。これにより、１パス目で記録用紙に付与されたインク滴が広がりやすくなる。
【００６２】
［第２の実施の形態］
本実施の形態では、２パス記録する場合に、不良イジェクタを含む所定範囲内に配列された液滴イジェクタで描画される領域では２パス記録を行ない、該範囲外の液滴イジェクタで描画される領域では１パス記録を行なう場合を例に挙げて説明する。
【００６３】
本実施の形態の液滴吐出装置１０、および液滴イジェクタ５０の構成は、第１の実施の形態と同様であるため説明を省略する。
【００６４】
図６は、本実施の形態における印刷処理ルーチンのプログラムのフローチャートである。このプログラムも外部から印刷指示を入力したときに起動する。
【００６５】
ステップ２００では、画像データを取得する。
【００６６】
ステップ２０２では、印刷指令で指定された印刷モードが、高速モードであるか、低速モードであるかを判断する。ここで、指定された印刷モードが低速モードであると判断した場合には２パス記録動作を行なうため、ステップ２０４で、まず不良イジェクタ情報を取得する。この不良イジェクタ情報は、記録ヘッド２０に含まれる不良イジェクタの位置を示す情報であって、記録ヘッド２０を液滴吐出装置１０に装着するときにＲＯＭ１４等に記録するようにしてもよいし、記録ヘッド２０に不良イジェクタ情報を記憶した記憶部を設け、該記憶部から記録ヘッド駆動回路１８が読み出せるように構成してもよい。不良イジェクタ情報は、記録ヘッド２０の製造時或いは製品出荷前などに吐出検査を行ない、吐出量や吐出方向が設計値から著しく乖離している液滴イジェクタについては、不良イジェクタとみなしてその位置情報を不良イジェクタ情報として記録しておく。
【００６７】
ステップ２０４では、不良イジェクタを含む所定範囲内に配置された液滴イジェクタ５０で描画する領域（以下、不吐出領域）について１パス目のインク吐出データを生成する。また、本実施の形態においても、１パス目のインク吐出データは、１パス目のインク滴の記録用紙への単位面積当たりの付与量が、２パス目のインク滴の記録用紙への単位面積当たりの付与量より少なくなるようなドットサイズ（滴量）となるように生成する。
【００６８】
ステップ２０８では、上記生成した１パス目のインク吐出データを記録ヘッド駆動回路１８に出力すると共に、紙送り駆動回路２６に用紙搬送のための制御信号を出力して、不良イジェクタを含む所定範囲内に配置された液滴イジェクタ５０のみインク滴を吐出させて画像の記録を行なう。
【００６９】
ステップ２１０では、全体の領域について２パス目のインク吐出データ及び反応液吐出データを生成する。
【００７０】
このとき、不吐出領域については、２パス記録を行なうため、インク吐出データは、２パス目のインク滴の記録用紙への単位面積当たりの付与量が１パス目のインク滴の記録用紙への単位面積当たりの付与量よりも多くなるようなドットサイズとなるように生成する。また、反応液吐出データは、２パス目のインク滴の記録用紙への単位面積当たりの付与量に対する反応液滴の記録用紙への単位面積当たりの付与量の割合が、０．１以上１以下となるように生成する。
【００７１】
また、不吐出領域以外については、２パス目のみで１パス記録を行なうため、１回の走査で画像が完成されるようなインク吐出データと、インク滴の付与量に対して予め定められた割合の反応液付与量となるような反応液吐出データを生成する。
【００７２】
ステップ２１４では、上記生成した２パス目のインク吐出データを記録ヘッド駆動回路１８に出力すると共に、上記生成した反応液吐出データを反応液ヘッド駆動回路２２に出力する。更に、紙送り駆動回路２６に制御信号を出力して記録用紙を戻すか、或いは同一経路に沿って再度搬送する。これにより、不吐出領域については１パス目と２パス目とで補完的に画像が記録され、不吐出領域以外については、２パス目だけで完全な画像が記録される。なお、前述したように、反応液ヘッド２４は、記録用紙の搬送方向に対して記録ヘッド２０よりも上流側に配置されているため、記録用紙には常に反応液、インク滴の順序で液滴が吐出される。
【００７３】
一方、ステップ２０２で、指定された印刷モードが高速モードであると判断した場合には、全液滴イジェクタ５０で１パス記録動作を行なうため、ステップ２１２で、１回の走査で画像が完全に形成されるようなインク吐出データと、インク滴の付与量に対して予め定められた割合の反応液付与量となるような反応液吐出データを生成する。そして、ステップ２１４で、該生成したインク吐出データ及び反応液吐出データを記録ヘッド駆動回路１８、反応液ヘッド駆動回路２２に出力し、紙送り駆動回路２６を制御して記録用紙を搬送して１回の走査で画像を画像を記録する。
【００７４】
ここで、図４、図７を参照しながら、具体的な液滴吐出動作を説明する。
【００７５】
本実施の形態でも、図４に示すように、記録ヘッド２０には、インク滴が吐出されない不良イジェクタ５０ａが１個含まれているものとする。
【００７６】
まず、図７（Ａ）に示すように、１パス目では、不良イジェクタ５０ａを含む所定範囲内の液滴イジェクタ５０でインク滴のみを吐出し、反応液滴は吐出しないように制御する。このとき、不良イジェクタ５０ａからはインク滴が吐出されないが、１パス目では反応液滴を吐出しないため、インク滴の成分は凝集、増粘、或いは不溶化せず、不吐出部分に不良イジェクタ５０ａの隣接イジェクタ５０から吐出されたインク滴が拡がる。このためスジが目立たなくなる。また１パス目のインク滴の単位面積当たりの付与量は、２パス目と比較して少ないため、乾燥も早い。
【００７７】
次に、図７（Ｂ）に示すように、２パス目で、反応液滴とインク滴の双方を吐出する。２パス目ではインク滴だけでなく反応液も吐出するため、濃度やフェザリング等の点で画質が向上する。
【００７８】
このように不吐出領域で２パス記録を行なうにより、第１の実施の形態と同様に、スジを目立たなくすることができると共に、画質を向上させることができる。なお、ここでは、不良イジェクタ５０ａをインク滴が吐出されないイジェクタとして説明したが、インク滴の吐出方向が曲がっているイジェクタ、或いは吐出量が少ないイジェクタであっても、同様の効果がある。
【００７９】
なお、本実施の形態では、不良イジェクタ５０ａを含む所定範囲内の液滴イジェクタ５０で描画される領域について２パス記録を行なう例について説明したが、これに限定されず、例えば、所定サイズ以上のベタ画像或いはハーフトーン画像が形成される領域について２パス記録を行なうようにしてもよい。これは、文字や線画のようにラインで描画される画像ではスジは目立たないが、ベタ画像やハーフトーン画像、特にある程度大きな面積のベタ画像やハーフトーン画像ではスジが目立ちやすいためであり、この領域で２パス記録を行なうようにすれば、スジの発生が抑えられ画質が向上する。
【００８０】
なお、上記第１及び第２の実施の形態では、１パス目には反応液滴を吐出しない場合を例に挙げて説明したが、これに限定されず、１パス目で反応液滴を吐出してもよい。このとき、１パス目のインク滴の単位面積当たりの付与量に対する反応液滴の単位面積当たりの付与量の割合が、２パス目の該割合よりも小さくなるように、インク吐出データ及び反応液吐出データを生成する。これによっても、１パス目は反応液滴が少なめに付与されるため、１パス目でインク滴が広がって、不良部分のスジを目立たなくさせることができる。なお、このとき、１パス目のインク滴の反応液の記録媒体への単位面積当たりの付与量に対する反応液の記録媒体への単位面積当たりの付与量の割合は、０．３以下とすることが好ましい。
【００８１】
また、上記第１及び第２の実施の形態では、ドットサイズ（滴量）を調整することによって、１パス目のインク滴の単位面積当たりの付与量に対する反応液滴の単位面積当たりの付与量の割合が、２パス目のインク滴の単位面積当たりの付与量に対する反応液滴の単位面積当たりの付与量の割合よりも小さくなるように制御したが、滴量を調整するのではなく、間引きを行い印字率を調整することによって制御してもよい。間引く場合には、記録用紙の１パス目で記録した領域と同一の領域に２パス目のデータが補完的に記録されるようにインク吐出データを生成することが好ましい。
【００８２】
また、印字率及び滴量の双方を調整することによって、上記割合を制御するようにしてもよい。
【００８３】
また、上記第１及び第２の実施の形態では、ＦＷＡ方式の液滴吐出装置について説明したが、これに限定されず、ＰＷＡ方式の液滴吐出装置に適用することもできる。
【００８４】
ＰＷＡ方式では、一般的なマルチパス記録を行なうことができるが、このときも、前述のＦＷＡ方式の場合と同様に、１パス目では、インク滴のみを吐出させ、反応液滴は吐出せず、２パス目で以降では、反応液滴、インク滴を吐出するようにする。吐出順序は、上記実施の形態と同様に、反応液滴を吐出した後、インク滴を吐出するようにする。なお、少量であれば１パス目で反応液滴を吐出してもよい。これにより、ＰＷＡ方式であっても、画質欠陥をカバーすることができ、より品質の高い記録ができる。
【００８５】
また、上記第１及び第２の実施の形態では、単色で画像を記録する場合を例に挙げて説明したが、カラーで記録する場合も、上記実施の形態と同様の考え方で処理できる
具体的には、異なる２色のインク滴を重畳して記録する２次色、異なる３色のインク滴を重畳して記録する３次色の場合も、各色毎に、１パス目では、インク滴のみを吐出させ、反応液滴は吐出せず、２パス目で以降では、反応液滴、インク滴を吐出するようにする。このときも、吐出順序は、上記実施の形態と同様に、反応液滴を吐出した後、インク滴を吐出するようにする。また、上記と同様に、１パス目でも反応液滴を吐出するようにしてもよい。
【００８６】
また、上記第１及び第２の実施の形態では印刷モードに応じて、記録動作を異ならせる（１パス記録または２パス記録を行なう）ようにしたが、常時２パス記録を行なうようにしてもよい。
【００８７】
また、上記第１及び第２の実施の形態では、液滴吐出装置１０単体で２パス記録動作を実行するようにしたが、記録ヘッド２０で記録用紙の同一領域が２回走査されるように紙送り駆動回路２６を制御したり、記録ヘッド２０及び反応液ヘッド２４から１パス目及び２パス目のインク滴及び反応液滴の吐出に用いられるインク吐出データ及び反応液吐出データを生成したりする機能を備えた外部の制御装置から、上記走査を制御する制御信号やインク吐出データ及び反応液吐出データを液滴吐出装置１０に出力することによって、液滴吐出装置１０の２パス記録動作を制御するようにしてもよい。このような構成によっても、上記と同様の効果を奏する。
【００８８】
また、上記第１及び第２の実施の形態では、２パス記録を行なう例について説明したが、３パス以上走査して画像を記録するようにしてもよい。この場合も、上記第１及び第２の実施の形態と同様に、１パス目では、反応液滴を吐出しないか或いは２パス目に比べて少量の反応液滴を吐出するようにし、２パス目以降は、１パス目よりも単位面積当たりの付与量を多くして反応液及びインク滴を吐出すればよい。これによりスジの発生を抑えられると共に画質が向上する。
【実施例】
【００８９】
以下、実施例を挙げてさらに具体的に説明する。ただし、本発明はこれら実施例に限定されるものではない。以下に挙げる各実施例及び比較例では、不吐出イジェクタ（不吐出ノズル）が１個含まれ且つノズル間隔が１２００ｎｐｉの記録ヘッドを用い、１２００×１２００ｄｐｉの解像度で２パス記録を行ない、記録評価を行なった。記録媒体は、富士ゼロックスオフィスサプライ社製のＣ２紙を用いた。なお、各実施例および比較例に用いたインク及び反応液の組成を以下に示す。
【００９０】
（インクの組成）
Cabojet-300  (キャボット社製)  (自己分散顔料/カルボン酸基)  ４質量%
スチレン-アクリル酸-アクリル酸ナトリウム共重合体            ０.５質量%
ジエチレングリコール                                        １５質量%
グリセリン                                                  ５質量%
尿素                                                        ５質量%
アセチレングリコールエチレンオキサイド付加物                １質量%
イオン交換水                                                残部
なお、このインクの表面張力は、31.4mN/mであった。
【００９１】
（反応液の組成）
ジエチレングリコール                                        ３０質量％
２−フランカルボン酸（ｐＫａ＝２．４）                      ４質量％
硝酸マグネシウム・６水和物                                  ０.１１質量％
水酸化ナトリウム                                            ０．７５質量％
アセチレングリコールエチレンオキサイド付加物                １質量％
イオン交換水                                                残部
なお、この液体の表面張力は31.0mN/mであった。
【００９２】
（実施例１〜１０，比較例１〜５の記録条件）
図８は、実施例１〜１０、及び比較例１〜５の記録条件を示した表である。以下、各実施例及び各比較例の記録条件について詳細に説明する。
【００９３】
・実施例１
１パス目：反応液については、滴量（DR1st.）を0[pl]とすることにより、単位面積当たりの付与量（R1st.）0.00[mg/cm2]で１パス目を記録した。また、インク滴については、滴量（DI1st.）を2[pl]とすることにより、単位面積当たりの付与量（I1st.）0.45[mg/cm2]で１パス目を記録した。１パス目のインク滴の単位面積当たりの付与量に対する反応液滴の単位面積当たりの付与量の割合（R1st./I1st.）は、0.00であった。
【００９４】
２パス目：反応液については、滴量（DR2nd.）を1[pl]とすることにより、単位面積当たりの付与量（R2nd.）0.22[mg/cm2]で２パス目を記録した。また、インク滴については、滴量（DI2nd.）を3[pl]とすることにより、単位面積当たりの付与量（I2nd.）0.67[mg/cm2]で２パス目を記録した。２パス目のインク滴の単位面積当たりの付与量に対する反応液滴の単位面積当たりの付与量の割合（R2nd./I2nd.）は、0.33であった。
【００９５】
・実施例２
１パス目：反応液については、印字率25％の間引きパターン且つ滴量（DR1st.）を1[pl]とすることにより、単位面積当たりの付与量（R1st.）0.06[mg/cm2]で１パス目を記録した。また、インク滴については、滴量（DI1st.）を2[pl]とすることにより、単位面積当たりの付与量（I1st.）0.45[mg/cm2]で１パス目を記録した。１パス目のインク滴の単位面積当たりの付与量に対する反応液滴の単位面積当たりの付与量の割合（R1st./I1st.）は、0.13であった。
【００９６】
２パス目：反応液については、滴量（DR2nd.）を1.5[pl]とすることにより、単位面積当たりの付与量（R2nd.）0.33[mg/cm2]で２パス目を記録した。また、インク滴については、滴量（DI2nd.）を3[pl]とすることにより、単位面積当たりの付与量（I2nd.）0.67[mg/cm2]で２パス目を記録した。２パス目のインク滴の単位面積当たりの付与量に対する反応液滴の単位面積当たりの付与量の割合（R2nd./I2nd.）は、0.50であった。
【００９７】
・実施例３
１パス目：反応液については、滴量（DR1st.）を0[pl]とすることにより、単位面積当たりの付与量（R1st.）0.00[mg/cm2]で１パス目を記録した。また、インク滴については、滴量（DI1st.）を3[pl]とすることにより、単位面積当たりの付与量（I1st.）0.67[mg/cm2]で１パス目を記録した。１パス目のインク滴の単位面積当たりの付与量に対する反応液滴の単位面積当たりの付与量の割合（R1st./I1st.）は、0.00であった。
【００９８】
２パス目：反応液については、滴量（DR2nd.）を1[pl]とすることにより、単位面積当たりの付与量（R2nd.）0.22[mg/cm2]で２パス目を記録した。また、インク滴については、印字率50％の間引きパターン且つ滴量（DI2nd.）を4[pl]とすることにより、単位面積当たりの付与量（I2nd.）0.45[mg/cm2]で２パス目を記録した。２パス目のインク滴の単位面積当たりの付与量に対する反応液滴の単位面積当たりの付与量の割合（R2nd./I2nd.）は、0.50であった。
【００９９】
・実施例４
１パス目：反応液については、滴量（DR1st.）を0[pl]とすることにより、単位面積当たりの付与量（R1st.）0.00[mg/cm2]で１パス目を記録した。また、インク滴については、印字率50％の間引きパターン且つ滴量（DI1st.）を4[pl]とすることにより、単位面積当たりの付与量（I1st.）0.45[mg/cm2]で１パス目を記録した。１パス目のインク滴の単位面積当たりの付与量に対する反応液滴の単位面積当たりの付与量の割合（R1st./I1st.）は、0.00であった。
【０１００】
２パス目：反応液については、滴量（DR2nd.）を1[pl]とすることにより、単位面積当たりの付与量（R2nd.）0.22[mg/cm2]で２パス目を記録した。また、インク滴については、滴量（DI2nd.）を3[pl]とすることにより、単位面積当たりの付与量（I2nd.）0.67[mg/cm2]で２パス目を記録した。２パス目のインク滴の単位面積当たりの付与量に対する反応液滴の単位面積当たりの付与量の割合（R2nd./I2nd.）は、0.33であった。
【０１０１】
・実施例５
１パス目：反応液については、滴量（DR1st.）を0[pl]とすることにより、単位面積当たりの付与量（R1st.）0.00[mg/cm2]で１パス目を記録した。また、インク滴については、滴量（DI1st.）を4[pl]とすることにより、単位面積当たりの付与量（I1st.）0.89[mg/cm2]で１パス目を記録した。１パス目のインク滴の単位面積当たりの付与量に対する反応液滴の単位面積当たりの付与量の割合（R1st./I1st.）は、0.00であった。
【０１０２】
２パス目：反応液については、滴量（DR2nd.）を1[pl]とすることにより、単位面積当たりの付与量（R2nd.）0.22[mg/cm2]で２パス目を記録した。また、インク滴については、滴量（DI2nd.）を3[pl]とすることにより、単位面積当たりの付与量（I2nd.）0.67[mg/cm2]で２パス目を記録した。２パス目のインク滴の単位面積当たりの付与量に対する反応液滴の単位面積当たりの付与量の割合（R2nd./I2nd.）は、0.33であった。
【０１０３】
・実施例６
１パス目：反応液については、印字率25％の間引きパターン且つ滴量（DR1st.）を2[pl]とすることにより、単位面積当たりの付与量（R1st.）0.11[mg/cm2]で１パス目を記録した。また、インク滴については、滴量（DI1st.）を3[pl]とすることにより、単位面積当たりの付与量（I1st.）0.67[mg/cm2]で１パス目を記録した。１パス目のインク滴の単位面積当たりの付与量に対する反応液滴の単位面積当たりの付与量の割合（R1st./I1st.）は、0.17であった。
【０１０４】
２パス目：反応液については、滴量（DR2nd.）を1[pl]とすることにより、単位面積当たりの付与量（R2nd.）0.22[mg/cm2]で２パス目を記録した。また、インク滴については、印字率70％の間引きパターン且つ滴量（DI2nd.）を4[pl]とすることにより、単位面積当たりの付与量（I2nd.）0.62[mg/cm2]で２パス目を記録した。２パス目のインク滴の単位面積当たりの付与量に対する反応液滴の単位面積当たりの付与量の割合（R2nd./I2nd.）は、0.36であった。
【０１０５】
・実施例７
１パス目：反応液については、印字率25％の間引きパターン且つ滴量（DR1st.）を1[pl]とすることにより、単位面積当たりの付与量（R1st.）0.06[mg/cm2]で１パス目を記録した。また、インク滴については、印字率75％の間引きパターン且つ滴量（DI1st.）を3[pl]とすることにより、単位面積当たりの付与量（I1st.）0.50[mg/cm2]で１パス目を記録した。１パス目のインク滴の単位面積当たりの付与量に対する反応液滴の単位面積当たりの付与量の割合（R1st./I1st.）は、0.11であった。
【０１０６】
２パス目：反応液については、滴量（DR2nd.）を1[pl]とすることにより、単位面積当たりの付与量（R2nd.）0.22[mg/cm2]で２パス目を記録した。また、インク滴については、滴量（DI2nd.）を3[pl]とすることにより、単位面積当たりの付与量（I2nd.）0.67[mg/cm2]で２パス目を記録した。２パス目のインク滴の単位面積当たりの付与量に対する反応液滴の単位面積当たりの付与量の割合（R2nd./I2nd.）は、0.33であった。
【０１０７】
・実施例８
１パス目：反応液については、印字率25％の間引きパターン且つ滴量（DR1st.）を1[pl]とすることにより、単位面積当たりの付与量（R1st.）0.06[mg/cm2]で１パス目を記録した。また、インク滴については、滴量（DI1st.）を3[pl]とすることにより、単位面積当たりの付与量（I1st.）0.67[mg/cm2]で１パス目を記録した。１パス目のインク滴の単位面積当たりの付与量に対する反応液滴の単位面積当たりの付与量の割合（R1st./I1st.）は、0.08であった。
【０１０８】
２パス目：反応液については、滴量（DR2nd.）を1[pl]とすることにより、単位面積当たりの付与量（R2nd.）0.22[mg/cm2]で２パス目を記録した。また、インク滴については、滴量（DI2nd.）を3[pl]とすることにより、単位面積当たりの付与量（I2nd.）0.67[mg/cm2]で２パス目を記録した。２パス目のインク滴の単位面積当たりの付与量に対する反応液滴の単位面積当たりの付与量の割合（R2nd./I2nd.）は、0.33であった。
【０１０９】
・実施例９
１パス目：反応液については、滴量（DR1st.）を0[pl]とすることにより、単位面積当たりの付与量（R1st.）0.00[mg/cm2]で１パス目を記録した。また、インク滴については、滴量（DI1st.）を2[pl]とすることにより、単位面積当たりの付与量（I1st.）0.45[mg/cm2]で１パス目を記録した。１パス目のインク滴の単位面積当たりの付与量に対する反応液滴の単位面積当たりの付与量の割合（R1st./I1st.）は、0.00であった。
【０１１０】
２パス目：反応液については、滴量（DR2nd.）を0.5[pl]とすることにより、単位面積当たりの付与量（R2nd.）0.11[mg/cm2]で２パス目を記録した。また、インク滴については、滴量（DI2nd.）を4[pl]とすることにより、単位面積当たりの付与量（I2nd.）0.89[mg/cm2]で２パス目を記録した。２パス目のインク滴の単位面積当たりの付与量に対する反応液滴の単位面積当たりの付与量の割合（R2nd./I2nd.）は、0.13であった。
【０１１１】
・実施例１０
１パス目：反応液については、印字率50％の間引きパターン且つ滴量（DR1st.）を1.1[pl]とすることにより、単位面積当たりの付与量（R1st.）0.13[mg/cm2]で１パス目を記録した。また、インク滴については、印字率50％の間引きパターン且つ滴量（DI1st.）を4[pl]とすることにより、単位面積当たりの付与量（I1st.）0.45[mg/cm2]で１パス目を記録した。１パス目のインク滴の単位面積当たりの付与量に対する反応液滴の単位面積当たりの付与量の割合（R1st./I1st.）は、0.28であった。
【０１１２】
２パス目：反応液については、滴量（DR2nd.）を1[pl]とすることにより、単位面積当たりの付与量（R2nd.）0.22[mg/cm2]で２パス目を記録した。また、インク滴については、滴量（DI2nd.）を3[pl]とすることにより、単位面積当たりの付与量（I2nd.）0.67[mg/cm2]で２パス目を記録した。２パス目のインク滴の単位面積当たりの付与量に対する反応液滴の単位面積当たりの付与量の割合（R2nd./I2nd.）は、0.33であった。
【０１１３】
・比較例１
１パス目：反応液については、滴量（DR1st.）を1[pl]とすることにより、単位面積当たりの付与量（R1st.）0.22[mg/cm2]で１パス目を記録した。また、インク滴については、滴量（DI1st.）を3[pl]とすることにより、単位面積当たりの付与量（I1st.）0.67[mg/cm2]で１パス目を記録した。１パス目のインク滴の単位面積当たりの付与量に対する反応液滴の単位面積当たりの付与量の割合（R1st./I1st.）は、0.33であった。
【０１１４】
２パス目：反応液については、滴量（DR2nd.）を1.5[pl]とすることにより、単位面積当たりの付与量（R2nd.）0.33[mg/cm2]で２パス目を記録した。また、インク滴については、滴量（DI2nd.）を3[pl]とすることにより、単位面積当たりの付与量（I2nd.）0.67[mg/cm2]で２パス目を記録した。２パス目のインク滴の単位面積当たりの付与量に対する反応液滴の単位面積当たりの付与量の割合（R2nd./I2nd.）は、0.50であった。
【０１１５】
・比較例２
１パス目：反応液については、滴量（DR1st.）を0[pl]とすることにより、単位面積当たりの付与量（R1st.）0.00[mg/cm2]で１パス目を記録した。また、インク滴については、滴量（DI1st.）を2[pl]とすることにより、単位面積当たりの付与量（I1st.）0.45[mg/cm2]で１パス目を記録した。１パス目のインク滴の単位面積当たりの付与量に対する反応液滴の単位面積当たりの付与量の割合（R1st./I1st.）は、0.00であった。
【０１１６】
２パス目：反応液については、印字率25％の間引きパターン且つ滴量（DR2nd.）を1[pl]とすることにより、単位面積当たりの付与量（R2nd.）0.06[mg/cm2]で２パス目を記録した。また、インク滴については、滴量（DI2nd.）を4[pl]とすることにより、単位面積当たりの付与量（I2nd.）0.89[mg/cm2]で２パス目を記録した。２パス目のインク滴の単位面積当たりの付与量に対する反応液滴の単位面積当たりの付与量の割合（R2nd./I2nd.）は、0.06であった。
【０１１７】
・比較例３
１パス目：反応液については、滴量（DR1st.）を1[pl]とすることにより、単位面積当たりの付与量（R1st.）0.22[mg/cm2]で１パス目を記録した。また、インク滴については、滴量（DI1st.）を3[pl]とすることにより、単位面積当たりの付与量（I1st.）0.67[mg/cm2]で１パス目を記録した。１パス目のインク滴の単位面積当たりの付与量に対する反応液滴の単位面積当たりの付与量の割合（R1st./I1st.）は、0.33であった。
【０１１８】
２パス目：１パス目と同一の条件で２パス目の記録を行った。
【０１１９】
・比較例４
１パス目：反応液については、印字率50％の間引きパターン且つ滴量（DR1st.）を1.25[pl]とすることにより、単位面積当たりの付与量（R1st.）0.14[mg/cm2]で１パス目を記録した。また、インク滴については、印字率50％の間引きパターン且つ滴量（DI1st.）を4[pl]とすることにより、単位面積当たりの付与量（I1st.）0.45[mg/cm2]で１パス目を記録した。１パス目のインク滴の単位面積当たりの付与量に対する反応液滴の単位面積当たりの付与量の割合（R1st./I1st.）は、0.31であった。
【０１２０】
２パス目：反応液については、滴量（DR2nd.）を1[pl]とすることにより、単位面積当たりの付与量（R2nd.）0.22[mg/cm2]で２パス目を記録した。また、インク滴については、滴量（DI2nd.）を3[pl]とすることにより、単位面積当たりの付与量（I2nd.）0.67[mg/cm2]で２パス目を記録した。２パス目のインク滴の単位面積当たりの付与量に対する反応液滴の単位面積当たりの付与量の割合（R2nd./I2nd.）は、0.33であった。
【０１２１】
・比較例５
１パス目：反応液については、滴量（DR1st.）を0[pl]とすることにより、単位面積当たりの付与量（R1st.）0.00[mg/cm2]で１パス目を記録した。また、インク滴については、滴量（DI1st.）を2[pl]とすることにより、単位面積当たりの付与量（I1st.）0.45[mg/cm2]で１パス目を記録した。１パス目のインク滴の単位面積当たりの付与量に対する反応液滴の単位面積当たりの付与量の割合（R1st./I1st.）は、0.00であった。
【０１２２】
２パス目：反応液については、滴量（DR2nd.）を0.03[pl]とすることにより、単位面積当たりの付与量（R2nd.）0.07[mg/cm2]で２パス目を記録した。また、インク滴については、滴量（DI2nd.）を4[pl]とすることにより、単位面積当たりの付与量（I2nd.）0.89[mg/cm2]で２パス目を記録した。２パス目のインク滴の単位面積当たりの付与量に対する反応液滴の単位面積当たりの付与量の割合（R2nd./I2nd.）は、0.08であった。
【０１２３】
（評価）
図９は、実施例１〜１０及び比較例１〜５の各々の記録結果の評価を示した表である。ここでは、不吐出部分のスジ、濃度、フェザリングの発生状態の３点について目視で観察し評価した。なお、評価基準は以下の通りであり、○及び△が許容レベルである。
「不吐出部分のスジ」
○：スジが視認できない程度に改善されているもの
△：スジが視認できるが目立ちにくいもの
×：スジが目立つもの
「濃度」
○：良好な濃度と色調が得られたもの
△：濃度や色調が許容レベルのもの
×：濃度や色調が許容レベル以下のもの
「フェザリング」
○：滲みが少ないもの
△：滲みは発生しているが、許容レベルのもの
×：滲みが許容レベル以下のもの。
【０１２４】
図９から明らかなように、実施例１〜１０の記録結果の評価は、不吐出部分のスジ、濃度、フェザリングの発生状態の３点について良好な評価が得られた。
【０１２５】
また、比較例１、３、４は、不吐出部分のスジの改善の点で良好な結果が得られなかった。比較例２、５は、濃度やフェザリングの点で良好な結果が得られなかった。なお、実施例９及び比較例５から、２パス目のインク滴の単位面積当たりの付与量に対する反応液滴の単位面積当たりの付与量の割合が０．１以上の場合に良好な濃度や色調が得られると共に滲みが少なくなり、実施例１０及び比較例４から、１パス目のインク滴の単位面積当たりの付与量に対する反応液滴の単位面積当たりの付与量の割合が０．３以下の場合に不吐出部分のスジが改善するということが判った。
【図面の簡単な説明】
【０１２６】
【図１】第１及び第２の実施の形態に係る液滴吐出装置の概略構成を示したブロック図である。
【図２】液滴イジェクタの構成、液滴イジェクタの圧電素子に印加する電圧の駆動波形、及びと該駆動波形に対応して吐出されるドットのサイズを模式的に説明する図である。
【図３】第１の実施の形態で実行される印刷処理ルーチンのプログラムのフローチャートである。
【図４】記録ヘッドと反応液ヘッドの記録用紙に対する配置状態を示した図である。
【図５】（Ａ）は、第１の実施の形態の１パス目のインク滴の吐出状態を説明する説明図であり、（Ｂ）は、２パス目のインク滴及び反応液滴の吐出状態を説明する説明図である。
【図６】第２の実施の形態で実行される印刷処理ルーチンのプログラムのフローチャートである。
【図７】（Ａ）は、第２の実施の形態の１パス目のインク滴の吐出状態を説明する説明図であり、（Ｂ）は、２パス目のインク滴及び反応液滴の吐出状態を説明する説明図である。
【図８】実施例１〜１０及び比較例１〜５の各記録条件を示した表である。
【図９】図８で示した記録条件で２パス記録を行なった場合の、実施例１〜１０及び比較例１〜５の各々の記録結果の評価を示した表である。
【符号の説明】
【０１２７】
１０  液滴吐出装置
１２  ＣＰＵ
１４  ＲＯＭ
１６  ＲＡＭ
１８  記録ヘッド駆動回路
２０  記録ヘッド
２２  反応液ヘッド駆動回路
２４  反応液ヘッド
２６  紙送り駆動回路
２８  紙送りモータ
５０  液滴イジェクタ
５０Ａ  ノズル
５０Ｂ  液滴圧力室
５０Ｃ  圧電素子
【図１】
0004735245.tif 000002
【図２】
0004735245.tif 000003
【図３】
0004735245.tif 000004
【図４】
0004735245.tif 000005
【図５】
0004735245.tif 000006
【図６】
0004735245.tif 000007
【図７】
0004735245.tif 000008
【図８】
0004735245.tif 000009
【図９】
0004735245.tif 000010